【手続補正書】
【提出日】平成19年4月18日(2007.4.18)
【手続補正１】
【補正対象書類名】明細書
【補正対象項目名】発明の名称
【補正方法】変更
【補正の内容】
【発明の名称】血流および血液量を測定するためのシステムおよび装置
【手続補正２】
【補正対象書類名】特許請求の範囲
【補正対象項目名】全文
【補正方法】変更
【補正の内容】
【特許請求の範囲】
【請求項１】
以下のものを備えた被験者の器官の血流を測定するためのシステム：
出力高周波信号を発生するための高周波発生器；
被験者の皮膚に接続できるように設計され、器官に前記出力高周波信号を送出し、かつ器官の入力高周波信号を感知するための複数の電極；
前記高周波発生器および前記複数の電極の少なくとも一部と電気的に導通し、前記出力高周波信号と前記入力高周波信号を混合して、血流を示す混合高周波信号を提供するためのミクサ；および
前記混合高周波信号の一部分を除去して、前記混合高周波信号の残部の信号対雑音比を実質的に増加するように構成されかつ設計された電子回路。
【請求項２】
前記ミクサは高周波和および高周波差を提供するように動作可能である請求項１に記載のシステム。
【請求項３】
前記電子回路は、前記高周波和を除去するための低域通過フィルタを備える請求項２に記載のシステム。
【請求項４】
前記電子回路は、前記混合高周波信号の前記残部を増幅するためのアナログ増幅回路を備える請求項１に記載のシステム。
【請求項５】
前記電子回路は、前記混合高周波信号の前記残部をデジタル化するためのデジタイザを備える請求項１に記載のシステム。
【請求項６】
前記電子回路は、前記複数の電極と被験者の器官との間のインピーダンス差に対する前記入力高周波信号の感度を最小化するように設計されかつ構成される請求項１に記載のシステム。
【請求項７】
前記電子回路は、前記複数の電極と被験者の器官との間の前記インピーダンス差より実質的に大きいインピーダンスを特徴とする少なくとも一つの差動増幅器を備える請求項６に記載のシステム。
【請求項８】
前記混合高周波信号の前記残部を使用して、一回拍出量、心拍出量、脳腔内血流量、および動脈血流量から成る群から選択される少なくとも一つの量を算出するためのデータプロセッサをさらに備える請求項１に記載のシステム。
【請求項９】
前記動脈血流量は、外頸動脈血流量、内頸動脈血流量、尺骨血流量、撓骨血流量、上腕血流量、総腸骨血流量、外腸骨血流量、後脛骨血流量、前脛骨血流量、腓骨血流量、外側足底血流量、内側足底血流量、および深足底血流量から成る群から選択される請求項８に記載のシステム。
【請求項１０】
前記データプロセッサと連絡して被験者の心拍数を制御するように動作可能なペースメーカをさらに備え、前記データプロセッサは前記少なくとも一つの量の値に従って、前記ペースメーカを電子的に制御するようにプログラムされる請求項８に記載のシステム。
【請求項１１】
前記データプロセッサと連絡して被験者に薬剤を投与するように動作可能な薬剤投与装置をさらに備え、前記データプロセッサは前記少なくとも一つの量の値に従って、前記薬剤投与装置を電子的に制御するようにプログラムされる請求項８に記載のシステム。
【請求項１２】
前記データプロセッサと連絡して前記心拍出量を増加するように動作可能な心臓補助装置をさらに備える請求項８に記載のシステム。
【請求項１３】
前記心臓補助装置は、心組織の一部分の拡張を制約し、これによって前記心拍出量を増大するように設計されかつ構成された強化部材を備える請求項１２に記載のシステム。
【請求項１４】
前記複数の電極の個数は、姿勢変化効果、呼吸効果、および運動効果から成る群から選択された少なくとも一つの効果から、前記入力高周波信号を実質的に切り離すように選択される請求項１に記載のシステム。
【請求項１５】
前記複数の電極は二つの電極を含む請求項１に記載のシステム。
【請求項１６】
前記複数の電極は三つの電極を含む請求項１に記載のシステム。
【請求項１７】
前記複数の電極は四つの電極を含む請求項１に記載のシステム。
【請求項１８】
前記複数の電極の少なくとも一部は、被験者に付ける前記電極の配向に関係なく、前記電極を介して送出される電気信号に対し実質的に一定の感度を持つように設計されかつ構成される請求項１に記載のシステム。
【請求項１９】
前記複数の電極の少なくとも一部は、被験者の外部器官に付ける電極の配向に関係なく、前記電極を通して送出される電気信号に対し実質的に一定の感度を有するように、被験者の外部器官の少なくとも一部分に巻き付けるように構成されかつ設計された少なくとも一つの長尺導電材を備える請求項１に記載のシステム。
【請求項２０】
前記複数の電極の少なくとも一部は取付け材を備える請求項１９に記載のシステム。
【請求項２１】
前記外部器官は胸部、臀部、大腿部、頸部、頭部、腕、前腕、腹部、臀筋、脚、および足から成る群から選択される請求項１９に記載のシステム。
【請求項２２】
前記複数の電極の少なくとも一部と電気的に導通して、被験者の第一部位と第二部位との間の電圧を検出し、かつ前記電圧に応答して器官のインピーダンスを示す前記入力高周波信号を発生するためのバイオインピーダンス検出器をさらに備える請求項１に記載のシステム。
【請求項２３】
前記電圧を感知するための少なくとも一つのセンサであって、器官内の、器官から、および器官への血流の関数である大きさを有する信号を発生するように構成されかつ設計された少なくとも一つのセンサをさらに備える請求項２２に記載のシステム。
【請求項２４】
前記電子回路は、少なくとも一回の時間微分を実行して、前記第一部位と前記第二部位との間の前記インピーダンスのそれぞれの微分を提供するための微分器をさらに備える請求項２２に記載のシステム。
【請求項２５】
前記微分は一階微分および二階微分から成る群から選択される請求項２４に記載のシステム。
【請求項２６】
前記微分器は、デジタル微分器およびアナログ微分器から成る群から選択される請求項２４に記載のシステム。
【請求項２７】
血流を表示するための表示装置をさらに備える請求項１に記載のシステム。
【請求項２８】
前記表示装置は血流を時間の関数として表示することができる請求項２７に記載のシステム。
【請求項２９】
前記信号対雑音比は少なくとも１０ｄＢ増大される請求項１に記載のシステム。
【請求項３０】
前記信号対雑音比は少なくとも２０ｄＢ増大される請求項１に記載のシステム。
【請求項３１】
被験者の内部器官の信号を送受するための電極であって、被験者の外部器官に付ける電極の配向に関係なく、信号に対し実質的に一定の感度を有するように、被験者の外部器官の少なくとも一部分に巻き付けるように構成されかつ設計された少なくとも一つの長尺導電材を備える電極。
【請求項３２】
前記外部器官は胸部、臀部、大腿部、頸部、頭部、腕、前腕、腹部、臀筋、脚、および足から成る群から選択される請求項３１に記載の電極。
【請求項３３】
取付け材をさらに備える請求項３１に記載の電極。
【請求項３４】
被験者の器官の血流を決定するための装置であって、前記装置は高周波測定ユニットを有し、前記高周波測定ユニットが出力高周波信号を器官に送出し、かつ器官の入力高周波信号を受け取ることができ、前記装置は以下のものを備えた装置：
（ａ）前記高周波測定ユニットと電気的に導通し、血流を示す混合高周波信号を提供するように、前記出力高周波信号および前記入力高周波信号を混合するためのミクサ；および（ｂ）前記混合高周波信号の一部分を除去して、前記混合高周波信号の残部の信号対雑音比を実質的に高めるように構成されかつ設計された電子回路。
【請求項３５】
前記ミクサは高周波和および高周波差を提供するように動作可能である請求項３４に記載の装置。
【請求項３６】
前記電子回路は、前記高周波和を除去するための低域通過フィルタを備える請求項３５に記載の装置。
【請求項３７】
前記電子回路は、前記混合高周波信号の前記残部を増幅するためのアナログ増幅回路を備える請求項３４に記載の装置。
【請求項３８】
前記電子回路は、前記混合高周波信号の前記残部をデジタル化するためのデジタイザを備える請求項３４に記載の装置。
【請求項３９】
前記電子回路は、前記複数の電極と被験者の器官との間のインピーダンス差に対する前記入力高周波信号の感度を最小化するように設計されかつ構成される請求項３４に記載の装置。
【請求項４０】
前記電子回路は、前記複数の電極と被験者の器官との間の前記インピーダンス差より実質的に大きいインピーダンスを特徴とする少なくとも一つの差動増幅器を備える請求項３９に記載の装置。
【請求項４１】
前記電子回路は、少なくとも一回の時間微分を実行して、被験者の身体の前記第一部位と前記第二部位との間のインピーダンスのそれぞれの微分を提供するための微分器をさらに備える請求項３４に記載の装置。
【請求項４２】
前記微分は一階微分および二階微分から成る群から選択される請求項４１に記載の装置。
【請求項４３】
前記微分器は、デジタル微分器およびアナログ微分器から成る群から選択される請求項４１に記載の装置。
【請求項４４】
前記信号対雑音比は少なくとも１０ｄＢ増大される請求項３４に記載の装置。
【請求項４５】
前記信号対雑音比は少なくとも２０ｄＢ増大される請求項３４に記載の装置。
【手続補正３】
【補正対象書類名】明細書
【補正対象項目名】０１３５
【補正方法】変更
【補正の内容】
【０１３５】
図７ｃの回路機構の原理は、三つの電極を持つ図７ａの回路の原理と同様である。図７ｃの回路機構の利点は、（図７ａの一つのリードＩ１とは対照的に）両方の入力リードＩ１およびＩ２を使用することによって、電極と身体との間のインピーダンス差の結果を最小化することができることである。特に、電圧降下Ｉ１およびＩ２の影響は、差動増幅器Ｇ３の特性インピーダンスによって制御され、該特性インピーダンスは、身体と電極との間の接触によるインピーダンス変化がＧ３のインピーダンスに比較して無視できるように、十分に大きくなるように選択される。